(57)【要約】【課題】  土台の高さを高くすることなく、バリアフリーを実現しながら和室においても簡易に火打土台および断熱構造を実現できる床パネルを提供する。【解決手段】  本発明の床パネル１は、在来工法住宅の一階の床Ｆに適用される床パネル１であって、正方形状とされた枠１０と、その枠１０に当該枠１０の角１１と二等辺三角形を形成するように配設された火打２０とからなる骨格部２を備えて火打２０および断熱材３４が床パネル１に一体化されてなるものである。この床パネル１は、据付作業終了後に床パネル１上面を形成する床下地材３０に塞がれる作業用開口３，４を有し、この作業用開口４に火打２０端部が露出している。【選択図】  図２
2005213787.tif 000002
【特許請求の範囲】
【請求項１】
在来工法住宅の一階の床に適用される床パネルであって、該床パネルが火打を一体化して備えてなることを特徴とする床パネル。
【請求項２】
床パネルが、正方形状とされた枠と、その枠に当該枠の角と二等辺三角形を形成するように配設された火打とからなる骨格部を備えてなることを特徴とする請求項１記載の床パネル。
【請求項３】
床パネルが、据付作業終了後に床パネル上面を形成する床下地材に塞がれる作業用開口を有してなることを特徴とする請求項１記載の床パネル。
【請求項４】
火打端部が作業用開口に露出させられてなることを特徴とする請求項３記載の床パネル。
【請求項５】
床パネル上面を形成する床下地材が分割体からなり、該分割体には作業用開口を塞ぐ分割体が含まれてなることを特徴とする請求項３記載の床パネル。
【請求項６】
分割体裏面に断熱材が貼付されてなること特徴とする請求項５記載の床パネル。
【請求項７】
火打が土台から挿通されるボルトによるボルト・ナット留めにて前記土台に取付けられることを特徴とする請求項１記載の床パネル。
【請求項８】
火打が火打本体と火打本体の端部に装着された端部材とからなり、
前記火打本体が、両端部が４５度に切断されて台形状とされた鋼製角パイプとされ、
前記端部材が鋼板を折り曲げ成形してなるものであって、火打本体の開口端を塞ぐ蓋部と、火打本体端部外側面を覆う被覆部と、蓋部に直交させて起立された起立部と、蓋部に平行にされたボルト留め部とを含み、
前記蓋部およびボルト留め部には、土台から挿通されるボルトを挿通する透孔が形成されてなる
ことを特徴とする請求項７記載の床パネル。
【請求項９】
角パイプが、少なくとも一端がかしめにより接合されてなることを特徴とする請求項８記載の床パネル。
【請求項１０】
かしめの位置が床パネルの上面側とされてなることを特徴とする請求項９記載の床パネル。
【請求項１１】
枠が木製とされ、火打の木枠との接触個所には粘着性を有する隙間防止部材が介装されてなることを特徴とする請求項８記載の床パネル。
【発明の詳細な説明】
【技術分野】
【０００１】
本発明は床パネルに関する。さらに詳しくは、在来工法住宅における一階の床下地に適用される床パネルに関する。
【背景技術】
【０００２】
在来工法住宅では、従来、図１３に示すように土台１００に大引１０１に支持された根太１０２に床下地材１０３を載置し、その上にフローリング１０４をなして洋室ＲＥが形成されたり、あるいはその上に畳１０５が敷かれて和室ＲＪが形成されたりしていた。この場合、図１３に示すように、洋室ＲＥと和室ＲＪとの境界にフローリング１０４の厚みと畳１０５の厚みとの差に相当する段差が生じていた。図中、符号Ｗは壁や柱などの境界要素を示す。
【０００３】
ついで、住宅のバリアフリーに対処するため、図１４に示すように畳１０５のレベルをフローリング１０４のレベルまで下げることがなされるようになった。
【０００４】
その後、針葉樹合板からなる下地材の出現により、図１５に示すように根太を用いずに針葉樹合板下地材１０６を直接土台１００に載置する工法、いわゆる根太レス工法が採用されるようになった。この根太レス工法においてバリアフリーを実現させようとすると、畳１０５のレベルをさらに下げることが必要になった。
【０００５】
しかしながら、前記根太レス工法では、下地材１０６の角部や側端部を柱や間柱に合わせて施工現場で切欠く必要があったところから、図１６に示すように、下地材１０６のレベルを土台１００表面まで下げる工法が採用されるようになってきている。この工法においてバリアフリーを実現させようとすると、畳１０５のレベルをさらに下げることが必要になった。
【０００６】
しかるに、土台１００においては、土台１００の接合部を固める目的から、図１５に示す針葉樹合板からなる下地材１０６を載置した工法の他は、コーナー部に火打を設けたいわゆる火打土台とすることが義務付けられている。
【０００７】
それ加えて、近時、温熱環境の保全の見地から断熱性能に関し主流を占める充填断熱工法において、当該個所は断熱構造とすることが法上求められている。このため、火打土台および断熱構造の収まりが求められ、土台１００の高さを高くしたり、畳１０５を特注してその厚みを薄くしたり、図１６に示すように床梁１０７を大型化して補強したりして、火打スペースおよび断熱材スペースを確保することがなされている。
【０００８】
しかしながら、土台１００の高さを高くした場合には、土台１００のコスト上昇を招来し、畳１０５を特注して厚みを薄くした場合には、居住性の悪化およびコスト上昇を招来し、床梁１０７を大型化した場合には、構造の複雑化およびコスト上昇を招来するという問題がある。
【発明の開示】
【発明が解決しようとする課題】
【０００９】
本発明はかかる従来技術の課題に鑑みなされたものであって、土台の高さを高くすることなく、バリアフリーを実現しながら和室においても簡易に火打土台を実現でき、しかも断熱材の収まりもよくなし得る床パネルを提供することを目的としている。
【課題を解決するための手段】
【００１０】
本発明の床パネルは、在来工法住宅の一階の床に適用される床パネルであって、該床パネルが火打を一体化して備えてなることを特徴とする。
【００１１】
本発明の床パネルにおいては、床パネルが、正方形状とされた枠と、その枠に当該枠の角と二等辺三角形を形成するように配設された火打とからなる骨格部を備えてなるのが好ましい。
【００１２】
また、本発明の床パネルにおいては、床パネルが、据付作業終了後に床パネル上面を形成する床下地材に塞がれる作業用開口を有してなるのが好ましい。
【００１３】
さらに、本発明の床パネルにおいては、火打端部が作業用開口に露出させられてなるのが好ましい。
【００１４】
さらに、本発明の床パネルにおいては、床パネル上面を形成する床下地材が分割体からなり、該分割体には作業用開口を塞ぐ分割体が含まれてなるのが好ましい。
【００１５】
さらに、本発明の床パネルにおいては、分割体裏面に断熱材が貼付されてなるのが好ましい。
【００１６】
さらに、本発明の床パネルにおいては、火打が土台から挿通されるボルトによるボルト・ナット留めにて前記土台に取付けられるのが好ましい。
【００１７】
さらに、本発明の床パネルにおいては、火打が火打本体と火打本体の端部に装着された端部材とからなり、前記火打本体が、両端部が４５度に切断されて台形状とされた鋼製角パイプとされ、前記端部材が鋼板を折り曲げ成形してなるものであって、火打本体の開口端を塞ぐ蓋部と、火打本体端部外側面を覆う被覆部と、蓋部に直交させて起立された起立部と、蓋部に平行にされたボルト留め部とを含み、前記蓋部およびボルト留め部には、土台から挿通されるボルトを挿通する透孔が形成されてなるのが好ましい。
【００１８】
さらに、本発明の床パネルにおいては、角パイプが、少なくとも一端がかしめにより接合されてなるのが好ましい。その場合、かしめの位置が床パネルの上面側とされてなるのがさらに好ましい。
【００１９】
さらに、本発明の床パネルにおいては、枠が木製とされ、火打の木枠との接触個所には粘着性を有する隙間防止部材が介装されてなるのが好ましい。
【発明の効果】
【００２０】
本発明の床パネルによれば、火打が床パネルに一体化して備えられているので、床パネルの下方に火打スペースを別個に設ける必要がなくなるという優れた効果が得られる。そのため、バリアフリーへの対応が容易になし得るという優れた効果も得られる。また、火打が床パネルに一体化して備えられているので、床パネルの土台への据付時に火打の土台への取付けがなされるので、工程が簡素化されかつ工期が短縮されるという優れた効果も得られる。さらに、本発明の好ましい形態によれば、断熱材もあらかじめ床パネルに配設されているので、工程がより簡素化されかつ工期がより短縮されるという優れた効果も得られる。
【発明を実施するための最良の形態】
【００２１】
以下、添付図面を参照しながら本発明を実施形態に基づいて説明するが、本発明はかかる実施形態のみに限定されるものではない。
【００２２】
本発明の一実施形態に係る床パネルが用いられる床下地構造の施工途中の状態を図１に平面図で示す。
【００２３】
床パネル１は、図１に示すように、火打２０が一体化して備えられた縦横が同一寸法とされた正方形状のいわゆる１Ｐパネルとされて、土台１００のコーナー部に配設される。すなち、床パネル１は土台１００を火打土台となし得るよう構成されてなるものとされる。
【００２４】
図２〜図５に、床パネル１の詳細を示す。
【００２５】
床パネル１は、図２および図３に示すように、正方形状とされた木枠１０と、その木枠１０に当該枠１０の角１１と二等辺三角形を形成するように嵌め込まれた火打２０とからなる骨格部２を備えてなるものとされる。
【００２６】
枠１０は例えば９００ｍｍ角とされ、枠１０を構成する部材は例えば４５ｍｍ角とされる。また、前記二等辺三角形内部には正方形状の作業用開口３を形成するようＬ字状部材１２がその角１２ａを火打２０内側面(二等辺三角形を形成している枠１０の角１１に面する面)中央に当接させて配設される一方、その二等辺三角形を形成している角１１と対向する角１３と火打２０との間には床パネル１上面を形成する床下地材３０を受ける支持材１４が対角線状に配設されている。
【００２７】
火打２０は、図６に示すように、火打本体２１と、火打本体２１の両端部に装着された端部材２２とからなるものとされる。
【００２８】
火打本体２１は、例えば一端（または両端）がかしめにより接合されてなる４５ｍｍ角の鋼製角パイプ２３とされる（図７参照）。この角パイプ２３の両端は土台１００側面と平行となるよう４５度に切断され、つまり火打本体２１は平面視で台形状とされ、その上面および下面には曲げ剛生を高めるため凹凸の補強がなされている。また、同様の理由からかしめ２３ａも上面に位置するようにされている。なお、火打本体２１は前記角パイプ２３に限定されるものではなく、所望強度を有する各種パイプとされてもよい。
【００２９】
端部材２２は鋼製帯板を折り曲げ成形してなるものであって、火打本体２１の４５度に切断された開口端２１ａを塞ぐ蓋部２２ａと、蓋部２２ａの下端から火打本体２１の外側面(支持材１４と当接する面)端部を覆う所定長さの被覆部２２ｂと、被覆部２２ｂの先端から蓋部２２ａと直交させて外方に向けて所定高さで起立させられた起立部２２ｃと、起立部２２ｃの先端から蓋部２２ａに平行に延伸させられて火打本体２１の外側面に先端が当接させられ溶接固定されたボルト留め部２２ｄとを含むものとされる。被覆部２２ｂの長さおよび起立部２２ｃの高さは、火打２０を土台１００に取付けるため土台１００外側面から挿通されたボルトＢの先端部が、図８および図９に示すように、蓋部２２ａを貫通させてボルト留め部２２ｄに突出してナットＮにてナット留めされるよう調整されている。このため、蓋部２２ａとボルト留め部２２ｄには、ボルト挿通のための透孔２２ｅがそれぞれ形成されている。また、土台１００のいわゆる木やせによるナットＮの弛みを防止するため、ボルトＢの頭部側およびナットＮ側にそれぞれスプリングワッシャーＳＷが介装されている。なお、図８および図９中、符号２５は火打２０を木枠１０に固定しているビスを示し、ＦＷは平座金を示す。
【００３０】
また、火打本体２１の長さは、蓋部２２ａが木枠１０の外側面と略面一となるよう調整されている(図８参照)。
【００３１】
なお、火打２０の木枠１０や支持材１４などの木材と接触する個所には、ブチルゴム系の粘着テープ(両面テープ)Ｔが配設されて、木材の木やせにより接触部に隙間が生じるのが防止されている(図８参照)。つまり、鋼製の火打２０と床パネルの木製部材との接触個所には粘着性を有する隙間防止部材が介装されている。
【００３２】
床パネル１上面を形成している床下地材３０は、図２〜図５に示すように、正方形状の開口３を覆うように配設される正方形状の第１床下地材分割体３１と、第１床下地材分割体３１の外周部に配設されるＬ字状の第２床下地材分割体３２と、第２床下地材分割体３２の外周部に配設されるＬ字状の第３床下地材分割体３３とからなるものとされる。ここで、第１床下地材分割体３１と第３床下地材分割体３３とは、据付作業の容易性の観点から床パネル１が土台１００に据付られた後に配設される。つまり、床パネル１には、据付作業中、第２床下地材分割体３２を挟んで正方形状の作業用開口３とＬ字状の作業用開口４が形成されていることになる。また、第２床下地材分割体３２は、火打２０の木枠１０に嵌め込まれている端部を覆わないようその幅が調整されている(図２参照)。つまり、火打２０端部が作業用開口４に露出するようにされている。これにより、火打２０の土台１００へのボルト固定作業の容易性が担保される。
【００３３】
また、第１床下地材分割体３１、第２床下地材分割体３２および第３床下地材分割体３３の裏面には、それぞれ木枠１０、Ｌ字状部材１２、支持材１４および火打２０と干渉しないようにして断熱材３４が貼付されている。
【００３４】
図１０に本実施形態の床パネル１を用いた和室ＲＪの床ＦＪの断面図を示し、図１１に本実施形態の床パネル１を用いた洋室ＲＥの床ＦＥの断面図を示す。なお、図中、符号６は畳を示し、符号７はフローリングを示し、符号Ｗは壁や柱などの境界要素を示す。
【００３５】
図１０および図１１から、本実施形態の床パネル１を用いた場合には、バリアフリーを実現しながら和室床ＦＪのコーナー部における断熱構造および火打２０が同時に実現できるのが理解される。
【００３６】
図１２に本実施形態の床パネル１の支持構造４０を示す。この支持構造４０は、図１２に示すように、床パネル１を鋼製大引４１により受け、その鋼製大引４１両端部を一対の鋼製束４２，４２により支持してなるものとされる。なお、図示例は、洋室ＲＥの場合であるが、鋼製束４２による鋼製大引４１の支持レベルを下げることにより、和室ＲＪにも適用できる。
【００３７】
このように、本実施形態の床パネル１においては、火打２０および断熱材３４が床パネル１に一体化して備えられているので、床パネル１の下方に火打スペースおよび断熱材スペースを別個に設ける必要がなくなる。そのため、バリアフリーへの対応が容易になし得る。また、火打２０および断熱材３４が床パネル１に一体化して備えられているので、床パネル１の土台１００への据付時に火打２０の土台１００の取付けがなされるとともに断熱構造とされるので、工程が簡素化されかつ工期が短縮される。
【産業上の利用可能性】
【００３８】
本発明の床パネルは、火打および断熱が必要とされる在来工法住宅の床に適用できる。
【図面の簡単な説明】
【００３９】
【図１】本発明の一実施形態に係る床パネルが用いられる床下地構造の施工途中の状態を示す平面図である。
【図２】同床パネルの床下地材を一部取り除いた状態の平面図である。
【図３】同側面図である。
【図４】同床パネルの第１床下地材分割体の２面図であって、同(ａ)は平面図を示し、同(ｂ)は側面図を示す。
【図５】同床パネルの第３床下地材分割体の２面図であって、同(ａ)は平面図を示し、同(ｂ)は側面図を示す。
【図６】同床パネルの火打の２面図であって、同(ａ)は平面図を示し、同(ｂ)は側面図を示す。
【図７】同火打本体の断面図である。
【図８】同火打の土台との接合部の詳細を示す平面図である。
【図９】床下地材が配設された状態における火打の土台との接合部の詳細を示す側面図である。
【図１０】本実施形態の床パネルを用いた和室の床の断面図を示す。
【図１１】本実施形態の床パネルを用いた洋室の床の断面図を示す。
【図１２】本実施形態の床パネルの支持構造の一例を示す。
【図１３】在来工法住宅の根太を用いた一階床の断面図である。
【図１４】図１３に示す一階床においてバリアフリーをなした一階床の断面図である。
【図１５】在来工法住宅において根太レス工法を適用した一階床の断面図である。
【図１６】図１５に示す一階床において下地材のレベルを下げた一階床の断面図である。
【符号の説明】
【００４０】
１          床パネル
２          骨格部
・  作業用開口
６          畳
７          フローリング
１０          木枠
１１，１３    角
１２          Ｌ字状部材
１４          支持材
２０          火打
２１          火打本体
２２          端部材
３０          床下地材
３１          第１床下地材分割体
３２          第２床下地材分割体
３３          第３床下地材分割体
３４          断熱材
４０          支持構造
４１          鋼製大引
４２          鋼製束
１００          土台
Ｂ            ボルト
Ｎ            ナット
ＳＷ            スプリングワッシャー
ＦＷ            平座金
Ｆ            床
ＦＥ          洋室床
ＦＪ          和室床
ＲＥ          洋室
ＲＪ          和室
Ｗ            壁、境界要素
【図１】
2005213787.tif 000003
【図２】
2005213787.tif 000004
【図３】
2005213787.tif 000005
【図４】
2005213787.tif 000006
【図５】
2005213787.tif 000007
【図６】
2005213787.tif 000008
【図７】
2005213787.tif 000009
【図８】
2005213787.tif 000010
【図９】
2005213787.tif 000011
【図１０】
2005213787.tif 000012
【図１１】
2005213787.tif 000013
【図１２】
2005213787.tif 000014
【図１３】
2005213787.tif 000015
【図１４】
2005213787.tif 000016
【図１５】
2005213787.tif 000017
【図１６】
2005213787.tif 000018